(57)【要約】【課題】  太陽光や太陽熱を有効利用する太陽エネルギー変換装置を設置した壁面を容易に構築可能であると共に、デットスペースの有効利用を図れる法面構造を提供すること。【解決手段】  既設または新設の法面部に太陽エネルギー変換装置を設置して形成する法面構造において、法面部２上に直接あるいは間接的に支持部材３を突出して設け、太陽エネルギー変換装置４は、装置基体５と、装置基体の側縁もしくは裏面に設けられた取付部材６からなり、支持部材３に太陽エネルギー変換装置４の取付部材６を取り付ける。【選択図】  図２
2005171671.tif 000002
【特許請求の範囲】
【請求項１】
既設または新設の法面部に太陽エネルギー変換装置を設置して形成する法面構造において、
前記法面部上に直接あるいは間接的に支持部材を突出して設け、
前記太陽エネルギー変換装置は、装置基体と、装置基体の側縁もしくは裏面に設けられた取付部材を有し、
前記支持部材に太陽エネルギー変換装置の取付部材を取り付けることを特徴とする法面構造。
【請求項２】
太陽エネルギー変換装置の取付部材が、支持部材に支持される開口部を有し、該開口部を支持部材に支持させて取り付けられていることを特徴とする請求項１記載の法面構造。
【請求項３】
太陽エネルギー変換装置の取付部材が、支持部材の被係合部と係合可能な係合部を有し、被係合部への係合部の係合により支持部材に取り付けられていることを特徴とする請求項１記載の法面構造。
【請求項４】
太陽エネルギー変換装置の取付部材が、支持部材に対して取り付け後も脱着自在な取り付け関係であることを特徴とする請求項１〜３のいずれか１項記載の法面構造。
【発明の詳細な説明】
【技術分野】
【０００１】
本発明は建築や土木で人工的に造られる傾斜面すなわち法面の構造に関係しており、特に、太陽光や太陽熱を有効利用する太陽エネルギー変換装置を設置した法面構造に関する。
【背景技術】
【０００２】
現在、太陽熱等のクリーンエネルギーの利用が求められ、太陽電池が徐々に普及してきている。しかし、太陽電池等は、例えば特許文献１に例示するように、住宅、その他建築物等の屋根に設置されることが多いが、都市部にあっては、建築物等の屋根、外壁以外に設置場所が少ないというのが現実である。一方、非都市部では、広大な土地（休眠地）等に架台を組んで太陽電池を並べた大規模のものもみられるが、そのような設置可能なスペースがどこにでもあるわけでなく、太陽電池装置による大規模な発電施設の普及は難しいのが現状である。また、太陽電池を安定した状態に据え付けるための造成工事そして架台設備および架台の組みつけ手間などの経済的負担も大きい。
一方で、道路建設などでは法面を造成するケースが多く、この法面は崩れないように強固に作られており、その総面積は膨大である。
【特許文献１】特開平５−２８０１６８号
【発明の開示】
【発明が解決しようとする課題】
【０００３】
解決しようとする課題は、第１には、太陽光や太陽熱を有効利用する太陽エネルギー変換装置を設置した壁面を容易に構築可能であると共に、デットスペースの有効利用を図れる法面構造を、第２には、さらに、法面に対する太陽エネルギー変換装置の取り付け施工が容易で工期の短縮が可能である法面構造を、第３には、さらに、一部の太陽エネルギー変換装置が破損した場合でも容易に取り外して取り替え可能である法面構造を提供することにある。
【課題を解決するための手段】
【０００４】
本発明は前記した課題を達成するため、以下の構成にしたことを特徴とする。
１．既設または新設の法面部に太陽エネルギー変換装置を設置して形成する法面構造において、前記法面部上に直接あるいは間接的に支持部材を突出して設け、前記太陽エネルギー変換装置は、装置基体と、装置基体の側縁もしくは裏面に設けられた取付部材を有し、前記支持部材に太陽エネルギー変換装置の取付部材を取り付けることを特徴とする。
２．前記した１において、太陽エネルギー変換装置の取付部材が、支持部材に支持される開口部を有し、該開口部を支持部材に支持させて取り付けられていることを特徴とする。
３．前記した１において、太陽エネルギー変換装置の取付部材が、支持部材の被係合部と係合可能な係合部を有し、被係合部への係合部の係合により支持部材に取り付けられていることを特徴とする。
４．前記した１〜３のいずれかにおいて、太陽エネルギー変換装置の取付部材が、支持部材に対して取り付け後も脱着自在な取り付け関係であることを特徴とする。
【発明の効果】
【０００５】
Ａ．請求項１により、太陽エネルギー変換装置は、装置基体に取付部が設けられているので、現場において、取付部材を支持部材に取り付けるだけで、太陽光や太陽熱を有効利用する太陽エネルギー変換装置を設置した壁面を容易に構築することができ、スペースの有効利用が図れると共に工事費用の圧縮および工期の短縮にもつながる。また、支持部材を法面部に突出して設けてあることで、太陽エネルギー変換装置は強固な法面部に支持されて安定し、構造的に堅牢である。
建築や土木で人工的に造られる傾斜面すなわち法面部に太陽エネルギー変換装置を設置するので、デッドスペースとなっていた場所を有効に利用することができる。
Ｂ．請求項２、３により、さらに、太陽エネルギー変換装置は支持或いは係合により取り付けるので、同装置の取り付け施工が容易で工期の短縮につながる。
Ｃ．請求項３により、さらに、太陽エネルギー変換装置が着脱自在であるので、一部が破損した場合でも容易に取り外して取り替えることができる。
【発明を実施するための最良の形態】
【０００６】
法面部とは建築や土木で人工的に造られる傾斜面等を指し、その面構成は、コンクリート、ブロック、土等のいずれであっても良く、支持部材が埋設もしくは取付可能であればよい。特に、山間部を切り開いた道路（高速道路や山岳道路など）の法面や、山間部や傾斜地に設けられる擁壁等が設置対象として有効である。
太陽エネルギー変換装置は、太陽電池、太陽熱温水器等の太陽エネルギー（太陽光、太陽熱）を利用した全ての装置を指す。得られたエネルギーは、道路の照明器具用の電力として使用したり、積雪時の融雪のための電力あるいは温水として使用する等があげられるが、当然の如くこれらに限ったものではなく、どのように利用してもよい。この太陽エネルギー変換装置は、装置基体と、その側面および／または裏面に設けられた取付部材を有している。かかる太陽エネルギー変換装置は、その端部を対向状に取り付けても、重合状に取り付けるものであってもよい。
法面部と支持部材の関係は、コンクリート、ブロック、土等の法面部に直接支持部材を設けてもよいし、法面部に支持部材を取り付けるための桟部材を設け、この桟部材を経て間接的に支持部材を設けるようにしてもよいし、不陸調整のための不陸調整部材等を介在してもよい。
支持部材は、支持部を設けたプレート、レール部材等の連続材であってもよいし、前記プレート、レール材を短片状にしたピース材であってもよいし、或いはビス、アンカー等であってもよい。また、連続材の場合、縦方向に連続するものでも、横方向に連続するものでも、縦および横方向に連続するものであってもよい。
取付部材は、平板、メッシュ、グレーチング材等からなる板状或いは角波状若しくはトラス状等の架台であっても、装置基体の周縁を囲む枠体であってもよく、装置基体と一体化可能或いは脱着自在に一体化可能な部材をいう。
装置基体と取付部材は、取付部材が太陽電池等の装置基体と同程度の大きさの場合、位相させて一体化するようにしてもよい。
装置基体は、取付部材に複数取り付けてもよい（取付部材と装置基体が１対１或いは１対複数であってもよい）。
装置基体と取付部材との一体的な形成手段については、嵌合、係合、ビス等の固着具、接着剤、その他の公知の取り付け手段を用いて一体的に形成する。
支持部材による開口部の支持は、上下に貫通状の開口部に支持部材を貫通させてナット、その他の止め具で抜止して支持するようにしてもよいし、或いは、上下貫通状の開口部若しくは凹部状の開口部に支持部を嵌合して支持するようにしてもよく、開口部が支持部材に支持される態様のものであればよい。したがって、開口部の形態は、前記した上下貫通状、凹部状に限定されず、メッシュの網目や多孔板の孔、その他のこれらに類するものが含まれる。
係合部と被係合部の係合は、例えば横方向に連続するレール材を上下に並設して、このレール材に取付部材を係合させてもよいし、縦横方向にピース材を複数設置して、このピース材に取付部材を係合させるようにしてもよく、係合によるものであれば支持部材、取付部材の形状、配置等について特に限定されない。
脱着自在な取り付け関係とは、落石等により太陽エネルギー変換装置の一部が破損した場合でも、容易に取り替えられる関係を指し、また、例えば太陽エネルギー変換装置を上から或いは下から若しくは横から等のように特定の順番に取り外さなくても、所望の変換装置が自由に取り外すことができ、再び付け直せることをいう。
【実施例１】
【０００７】
図１〜図３には本発明の法面構造における実施の1形態を例示しており、道路１脇の法面部２はコンクリート打ちされて面強度が強化されている。
コンクリート製の法面部２にはアンカー等の支持部材３基部を太陽エネルギー変換装置４の取付間隔毎に埋設することで、法面部２上に支持部材３における螺子部３ａを突出してある。
そして、法面部２上には所要数の太陽エネルギー変換装置４を縦横に隣り合う端部双方が対向するように敷設し、各装置４における取付部材６を最寄りの支持部材３にそれぞれ取り付けてある。
太陽エネルギー変換装置４は装置基体５と取付部材６からなり、装置基体５には太陽電池５ａが一体的に備えられている。この装置基体５は板状の取付部材６上面に一体的に配設されている。
かかる太陽エネルギー変換装置４は、取付部材６四隅の孔６ａに貫通している螺子部３ａに螺合したナット７で締め付けられることで、支持部材３に対して個別に取り外し可能に取り付けられている。
【実施例２】
【０００８】
図４および図５には本発明の法面構造における実施の他の1形態を例示しており、構成は前記した図１の態様のものと基本的に同一であるため、共通している構成の説明は符号を準用して省略し、相違する構成について説明する。
法面部２上には所要数の太陽エネルギー変換装置４を縦横に隣り合う端部が上下に重合するように敷設し、各装置４における取付部材６を最寄りの支持部材３にそれぞれ取り付けてある。
太陽エネルギー変換装置４は装置基体５と取付部材６からなり、装置基体５には太陽電池５ａが一体的に備えられている。この装置基体５は平板の角波状の取付部材６上面に縦方向および横方向に位相した状態に一体的に配設されている。図面上では、装置基体５は取付部材６に対して、下側および左側にずれてせり出した状態に位相し、このせり出し部分５ｂが、隣り合う太陽エネルギー変換装置４における取付部材６上に重合して、装置基体５間から取付部材６側へ浸入した雨水等を樋状排水空間６ｂに沿い水下側に案内し得るようにしてある。
かかる太陽エネルギー変換装置４は、縦方向に隣り合う下側の取付部材６における上縁に上側の装置基体５下縁のせり出し部分５ｂが重合していると共に横方向に隣り合う左側の取付部材６における右縁に右側の装置基体５左縁のせり出し部分５ｂが重合した状態に、取付部材６隅の孔６ａに貫通している螺子部３ａに螺合したナット７で締め付けられることで、支持部材３に対して個別に取り付けられている。
【実施例３】
【０００９】
図６および図７には本発明の法面構造における実施の他の1形態を例示しており、構成は前記した図１の態様のものと基本的に同一であるため、共通している構成の説明は符号を準用して省略し、相違する構成について説明する。
取付部材６はメッシュの角波状のもので形成してある。
太陽エネルギー変換装置４は、取付部材６の網目６ｃを形成している線材６ｄに支持部材３の略鉤状支持部３ｂが係合していることで、支持部材３に対して個別に取り外し可能に取り付けられている。
支持部材３は法面部２上に固定具８で固定されており、法面部２の上方すなわち傾斜面の上側に向けて開放している略鉤状支持部３ｂには、取付部材６における線材６ｄが係合している。この略鉤状支持部３ｂと線材６ｄの係合関係は、法面部２に対して太陽エネルギー変換装置４を傾斜方向に沿いスライドさせることで係合および係脱可能である。そして、かかる略鉤状支持部３ｂに対し任意の網目６ｃを通してスライドさせて線材６ｄとの係合関係を得ることが可能であるから、法面部２への太陽エネルギー変換装置４の取り付け・取り外し作業効率が向上することになる。
また、支持部材３には、太陽エネルギー変換装置４に負圧がかかった場合でも抜けないように、略鉤状支持部３ｂにおける開口部分を閉じることで、線材６ｄを略鉤状支持部３ｂに保持する抜止手段を設けても良い。
【実施例４】
【００１０】
図８および図９には本発明の法面構造における実施の他の1形態を例示しており、構成は前記した図１の態様のものと基本的に同一であるため、共通している構成の説明は符号を準用して省略し、相違する構成について説明する。
太陽エネルギー変換装置４は装置基体５と取付部材６からなり、装置基体５には太陽電池５ａが一体的に備えられている。この装置基体５はトラス状の取付部材６上面の受支金具９に取り外し可能に取り付けられて配設されている。
かかる太陽エネルギー変換装置４は、取付部材６の下弦材６ｅが支持部材３の略Ｕ状支持部３ｃに係合していることで、支持部材３に対して個別に取り外し可能に取り付けられている。
支持部材３は法面部２上に固定具１０で固定されており、法面部２の上方すなわち傾斜面の上側に向けて開放している略Ｕ状支持部３ｃには、取付部材６における下弦材６ｅが係合している。この略Ｕ状支持部３ｃと下弦材６ｅの係合関係は、法面部２に対して太陽エネルギー変換装置４を傾斜方向に沿いスライドさせることで係合および係脱可能である。そして、かかる略Ｕ状支持部３ｃに対しスライドさせて下弦材６ｅとの係合関係を得ることが可能であるから、法面部２への太陽エネルギー変換装置４の取り付け・取り外し作業効率が向上することになる。略Ｕ状支持部３ｃは開口部分側を拡開することで、下弦材６ｅとの係合・係脱が容易になるようにしてある。また図面では、法面部２の傾斜方向と直交する横方向の下弦材６ｅと略Ｕ状支持部３ｃとによる係合状態を例示しているが、これに限定されず、法面部２の傾斜方向と並行する縦方向の下弦材６ｅと略Ｕ状支持部３ｃとによる係合状態の態様のものであってもよい。
また、支持部材３には、太陽エネルギー変換装置４に負圧がかかった場合でも抜けないように、略Ｕ状支持部３ｃにおける開口部分を閉じることで、下弦材６ｅを略Ｕ状支持部３ｃに係合状態に保持するボルト・ナット等による抜止手段を設けてもよい。
【実施例５】
【００１１】
図１０には本発明の法面構造における実施の他の1形態を例示しており、構成は前記した図１の態様のものと基本的に同一であるため、共通している構成の説明は符号を準用して省略し、相違する構成について説明する。
法面部２にはレール状の支持部材３を太陽エネルギー変換装置４の取付間隔毎に上下平行状に固定具１１で固設することにより、法面部２上に支持部材３の被係合部３ｄを上向きに突出させ、これの下側に台座部３ｅを形成してある。
法面部２上には所要数の太陽エネルギー変換装置４を、縦方向に隣り合う端部が上下に重合するように敷設し、各装置４における取付部材６を最寄りの支持部材３にそれぞれ脱着可能に係合させて取り付けてある。
太陽エネルギー変換装置４は装置基体５と取付部材６からなり、装置基体５には太陽電池５ａが一体的に備えられている。この装置基体５は板状の取付部材６上面に一体的に配設されている。取付部材６には下縁部裏面に係合金具１２を備えてあり、この係合金具１２には係合部１２ａを被係合部３ｄと係合可能に形成してある。
かかる太陽エネルギー変換装置４は、上縁部が支持部材３の台座部３ｅに載乗し、この上縁部上に上側の太陽エネルギー変換装置４における下縁部が載乗し、且つ、係合部１２ａが被係合部３ｄに脱着可能に係合していることで、支持部材３に対して個別に取り外し可能に取り付けられている。
この係合部１２ａと被係合部３ｄの係合関係は、法面部２に対して太陽エネルギー変換装置４を傾斜方向に沿いスライドさせることで係合および係脱可能である。そして、かかる支持部材３に対しスライドさせて係合金具１２との係合関係を得ることが可能であるから、法面部２への太陽エネルギー変換装置４の取り付け・取り外し作業効率が向上することになる。
また、支持部材３には、太陽エネルギー変換装置４に負圧がかかった場合でも抜けないように、係合金具１２における孔等に差し込むことで、係合部１２ａを被係合部３ｄに係合状態に保持するピン等による抜止手段を設けてもよい。
【００１２】
前記した実施例は一例であり、新設或いは既設の法面が太陽光や太陽熱を有効利用する太陽エネルギー変換装置を設置した法面構造になるのに制限はない。
【図面の簡単な説明】
【００１３】
【図１】本発明の法面構造における実施の１形態を例示している斜視図。
【図２】縦断面図で、一部拡大して示している。
【図３】太陽エネルギー変換装置の拡大斜視図。
【図４】本発明の法面構造における実施の他の１形態を例示している縦断面図。
【図５】太陽エネルギー変換装置の拡大斜視図。
【図６】本発明の法面構造における実施の他の１形態を例示している縦断面図。
【図７】太陽エネルギー変換装置の拡大斜視図。
【図８】本発明の法面構造における実施の他の１形態を例示している縦断面図で、一部拡大して示している。
【図９】部分拡大断面図。
【図１０】本発明の法面構造における実施の他の１形態を例示している縦断面図で、一部拡大して示している。
【符号の説明】
【００１４】
１  道路
２  法面部
３  支持部材
３ａ  螺子部
３ｂ  略鉤状支持部
３ｃ  略Ｕ状支持部（被係合部）
３ｄ  被係合部
３ｅ  台座部
４  太陽エネルギー変換装置
５  装置基体
５ａ  太陽電池
５ｂ  せり出し部分
６  取付部材
６ａ  孔（開口部）
６ｂ  樋状排水空間
６ｃ  網目（開口部）
６ｄ  線材（係合部）
６ｅ  下弦材（係合部）
７  ナット
８、１０、１１  固定具
９  受支金具
１２  係合金具
１２ａ  係合部
【図１】
2005171671.tif 000003
【図２】
2005171671.tif 000004
【図３】
2005171671.tif 000005
【図４】
2005171671.tif 000006
【図５】
2005171671.tif 000007
【図６】
2005171671.tif 000008
【図７】
2005171671.tif 000009
【図８】
2005171671.tif 000010
【図９】
2005171671.tif 000011
【図１０】
2005171671.tif 000012